(57)【要約】    【課題】  当接力を強くすると、ペン先の細いものにおいては、そのペン先でシール部材を突き破ぶってしまう危険性があり、また、ペン先の太いものにおいてはシール部材からの反発力が大きくなるため、キャップの軸筒に対する嵌合が緩くなり、ガタが発生してしまうばかりでなく、ややもすると、キャップが離脱してしまう危険性があった。それ故に、種々のペン先に対応させるシール部材を製作することは困難であった。    【構成】  筆記具のキャップ内に配置され、前記筆記具のペン先を当接・密閉する筆記具のペン先保護部材であって、前記ペン先保護部材をゲル状物質で形成した筆記具のペン先保護部材。【選択図】  図２
2006062252.tif 000002
【特許請求の範囲】
【請求項１】
筆記具のキャップ内に配置され、前記筆記具のペン先を当接・密閉する筆記具のペン先保護部材であって、前記ペン先保護部材をゲル状物質で形成したことを特徴とする筆記具のペン先保護部材。
【請求項２】
前記ゲル状物質をポリエチレンゲルとしたことを特徴とする請求項１記載の筆記具のペン先保護部材。
【発明の詳細な説明】
【技術分野】
【０００１】
本発明は、筆記具のキャップ内に配置され、前記筆記具のペン先を当接・密閉する筆記具のペン先保護部材に関するものであり、特に、ボールペンに関するものである。
【背景技術】
【０００２】
従来から、キャップの内側にボールペンのペン先を密閉するシール部材を配置した筆記具が知られている。以下具体的に説明する。キャップの内側に配置された弾性材料からなるシール部材には、ボールペンのペン先が密接、且つ、包囲される擂り鉢状の内面を有する凹部と、その凹部を軸心に配置させる筒状支持部が一体に連設形成されている。その凹部は、凹部底壁を有しているが、開口部である周縁部方向へ到るにつれて次第に薄肉となっている。そして、そのシール部材は、一般的には、シリコンやニトリルゴム、ブチルゴムなどの弾性体から構成されている。
【特許文献１】実開平７−０３７６８４号公報。
【発明の開示】
【発明が解決しようとする課題】
【０００３】
近年においては、種々の径（大きさ）のペン先が発売されるようになり、また、費用の削減を図るべく部品の共通化が図られている。そこで、ペン先の細いものと太いものに対して同じ仕様のキャップを使用する試みがなされたが、何れのものにおいても密閉を確実にする為に、ペン先のシール部材への当接力を強くする必要があった。特に、ペン先の太いものを密閉するためには、細いものに比し前記の当接力を強くしなければ密閉力が得られなかった。よって、ペン先の太いものに合わせて当接力を強くしていた。
しかし、当接力を強くすると、ペン先の細いものにおいては、そのペン先でシール部材を突き破ぶってしまう危険性があり、また、ペン先の太いものにおいてはシール部材からの反発力が大きくなるため、キャップの軸筒に対する嵌合が緩くなり、ガタが発生してしまうばかりでなく、ややもすると、キャップが離脱してしまう危険性があった。それ故に、種々のペン先に対応させるシール部材を製作することは困難であった。
そこで、本発明は、種々のペン先の大きさに対応できるシール部材を提供することを目的とする。
【課題を解決するための手段】
【０００４】
即ち、本発明は、筆記具のキャップ内に配置され、前記筆記具のペン先を当接・密閉する筆記具のペン先保護部材であって、前記ペン先保護部材をゲル状物質で形成したことを要旨とする。
【発明の効果】
【０００５】
本発明は、筆記具のキャップ内に配置され、前記筆記具のペン先を当接・密閉する筆記具のペン先保護部材であって、前記ペン先保護部材をゲル状物質で形成したので、１種類のペン先保護部材で種々のペン先の太さに対応させることができる。
【発明を実施するための最良の形態】
【０００６】
添付図面に基づき実施例を説明する。図１に本発明の筆記具の外観を示し説明する。キャップ１が軸体２に嵌着され、軸体２の後方末端部（以下、図示上方を前方、図示下方を後方という）には尾栓３が固着されている。前記軸体２内にはリフィル４が内装され、先金５を軸体２の先端に螺合させることで、前記リフィル４を固定している。リフィル４は先端部に金属製または樹脂製のボール６ａを回転自在に取り付けたチップ６とインキが収容された透明性のポリプロピレン樹脂製パイプ７と、前記チップ６とパイプ７を結合する継手としてのホルダー８から構成されている。
図２は図１の前方部分の拡大図である。キャップ１の内リブ１ａが軸体２の円周リブ２ａと嵌着した状態を示しており、キャップ１の中空部内奥にはゲル状物質からなるペン先保護部材９が配置されており、チップ６先端がペン先保護部材９の平滑面９ａに当接すると前方のキャップ１の内奥方向に変形してペン先の吐出部６ｂを包み込んで密閉し、外気を遮断している。
【０００７】
図３は、キャップ１と軸体２が離脱した状態を示す。キャップ１の中空部内奥に配置されたペン先保護部材９は初期状態ではこの様に平板状をしているが、前述のようにキャップ１を軸体２に嵌着させた状態では、ペン先保護部材９は変形した状態となり、細いペン先を使用した場合にはその変形部に突き刺さり破断させてしまう危険性がある。一方、太いペン先を使用した場合には、前記変形部による反発力が強くなりキャップ１が軸筒２から離脱しやすくなってしまう。そこで、本発明は、前記ペン先保護部材に反発性の少ないゲル状物質を使用している。そのゲル状物質としては、ポリエチレンゲルやシリコンゲル、ウレタンゲル、アクリルアミドゲル、ポリスチレンゲルなどが１例としてあげられるが、本発明のように吐出部の密閉性を考慮すると、前記ポリエチレンゲルが好ましい。他のゲル状物質に対してポリエチレンゲルは粘着性を有しており、その粘着性によっても吐出部の密閉性が向上される。
以下に、種々の試験結果を挙げ説明する。
【０００８】
【表１】
2006062252.tif 000003
【０００９】
反発力の測定としては、キャップの内リブ１ａをドリルやカッターで切り落とし、ペン先をキャップ内のペン先保護部材に約２ｍｍ突き当て、その時の反発力をプッシュプルゲージで測定した。
キャップと軸筒との嵌合力における試験においては、キャップと軸筒を嵌合させた状態で５０℃の環境下に２４時間放置後、キャップと軸筒とを離脱させる方向に引っ張り、その離脱した瞬間の荷重を測定した。
ペン先保護部材の破れ試験においては、キャップと軸筒との嵌合及び離脱を１００回繰り返した後、ペン先保護部材の状態を確認した（試験数：５０本）。
【００１０】
表１に示したように、ゲル状物質で形成したペン先保護部材は破れもせず、また、キャップと軸筒との嵌合力も良好であった。尚、キャップの嵌合力においては、通常６００ｇ以上に設定されており、その６００ｇ以上の嵌合力を有するものを良好なものとした。ちなみに、嵌合力が６００ｇ未満になるとキャップと軸筒にガタが発生し、また、離脱しやすくなり、さらに、５００ｇ以下になると不慮の外力によって抜け落ちてしまうこともある。
【図面の簡単な説明】
【００１１】
【図１】本発明を示す図。
【図２】図１の前方拡大図。
【図３】初期状態のペン先保護部材を示す図。
【符号の説明】
【００１２】
１    キャップ
１ａ  内リブ
２    軸体
２ａ  円周リブ
３    尾栓
４    リフィル
５    先金
６    チップ
６ａ  ボール
６ｂ  吐出部
７    パイプ  
８    ホルダー
９    ペン先保護部材
９ａ  平滑面
【図１】
2006062252.tif 000004
【図２】
2006062252.tif 000005
【図３】
2006062252.tif 000006